(57)【要約】【課題】本発明は、従来と比してより確実に生体体表の血液採取部位を穿刺する前に振動させることができる。【解決手段】本発明は、穿刺具２を保持する穿刺具保持部３３が本体部３０の基端面３２Ｄから穿刺具２の穿刺深さより離間してバネ３４を介して本体部３０に接続され、本体部３０に設けられる電極４１の両端と穿刺具保持部３３に設けられる電極４２及び４３とが穿刺具２の穿刺深さより離間して配されることにより、穿刺具２が先端方向に押し込まれないとスイッチ部３７がオンにならずにモータ３６に電圧が印加されず振動を発生させることができないが、この状態では穿刺針２３が開口２１Ａから突出しても血液取得部位を穿刺することはないので、振動を発生させずに穿刺することはない。【選択図】図５
2014064779.tif 000002
【特許請求の範囲】
【請求項１】
先端から穿刺針が突出することにより生体体表の血液採取部位を穿刺する穿刺具と、
前記穿刺具により前記血液採取部位を穿刺したときの痛みを低減する穿刺痛低減装置とを有し、
前記穿刺痛低減装置は、
前記血液採取部位に当接される先端面を有する本体部と、
前記本体部における前記先端面とは反対側の面に対して所定距離だけ離間して配され、前記穿刺具を前記血液採取部位から離間して保持し、前記穿刺具と共に前記血液採取部位に向けて移動されることにより前記穿刺具の先端を血液採取部位に当接させる穿刺具保持部と、
前記穿刺具保持部が移動していない状態でオフであり、前記穿刺具保持部が前記血液採取部位に押し付けられて前記穿刺具保持部が前記本体部側に所定距離だけ移動されることによりオンになるスイッチ部と、
前記スイッチ部に接続され、該スイッチ部がオンになることにより印加される電圧により振動し、前記血液採取部位を振動させる振動体と
を有する穿刺痛低減穿刺具。
【請求項２】
前記本体部は、
前記穿刺具保持部が移動していない状態で前記穿刺具から前記穿刺針が突出しても前記血液採取部位に届かず、かつ前記穿刺具及び前記穿刺具保持部が前記距離だけ移動した状態で、前記穿刺具から前記穿刺針が突出すると前記血液採取部位を穿刺するような長さに形成される
請求項１に記載の穿刺痛低減穿刺具。
【請求項３】
前記スイッチ部は、
前記本体部における前記先端面とは反対側の面に設けられる第１の電極と、前記穿刺具保持部における前記第１の電極と対向する位置に前記距離だけ離間して設けられる第２の電極とを有し、
前記穿刺具保持部が移動していない状態で前記第１及び第２の電極が離間していてオフであり、前記穿刺具保持部が前記本体部側に前記距離だけ移動されて前記第１及び第２の電極が接することによりオンになる
請求項１に記載の穿刺痛低減穿刺具。
【請求項４】
前記振動体は、偏心した錘が軸に取り付けられたモータであり、電圧が印加されることにより前記本体部を振動させる
請求項１に記載の穿刺痛低減穿刺具。
【請求項５】
前記振動体は、電圧が印加されることにより振動する圧電素子であり、前記先端面に設けられる
請求項１に記載の穿刺痛低減穿刺具。
【請求項６】
生体体表の血液採取部位に当接される先端面を有する本体部と、
前記本体部における前記先端面とは反対側の面に対して所定距離だけ離間して配され、先端から穿刺針が突出することにより前記血液採取部位を穿刺する穿刺具を前記血液採取部位から離間して保持し、前記穿刺具と共に前記血液採取部位に向けて移動されることにより穿刺具の先端を血液採取部位に当接させる穿刺具保持部と、
前記穿刺具保持部が移動していない状態でオフであり、前記穿刺具保持部が前記血液採取部位に押し付けられて前記穿刺具保持部が前記本体部側に所定距離だけ移動されることによりオンになるスイッチ部と、
前記スイッチ部に接続され、該スイッチ部がオンになることにより印加される電圧により振動し、前記血液採取部位を振動させる振動体と
を有する穿刺痛低減装置。
【発明の詳細な説明】
【技術分野】
【０００１】
本発明は、穿刺痛低減穿刺具及び穿刺痛低減装置に関し、例えば使用者の皮膚を穿刺する場合に適用して好適なものである。
【背景技術】
【０００２】
従来、糖尿病患者は血糖値の変動を測定するため、穿刺針が設けられた穿刺具を用いて指先の腹などの皮膚を穿刺し、その穿刺された部位から血液を取り出して血糖測定装置により血糖値を測定する。
【０００３】
穿刺具としては、穿刺具本体内に収納されるプランジャに穿刺針を装着し、操作ボタンを押圧することによりプランジャが変位して穿刺針が皮膚を穿刺するようになされたものが提案されている（例えば、特許文献１参照）。
【０００４】
ところで、患者（使用者）は穿刺具により皮膚が穿刺されることにより痛みを生じるので、この痛みを低減することが望まれる。そこで、穿刺具の穿刺具本体に装着され、スイッチが押されると内部に設けられる圧電素子が穿刺位置周辺の皮膚を振動させて、穿刺による痛みを低減するようになされた針穿刺痛低減器具が提案されている（例えば、特許文献２参照）。
【先行技術文献】
【特許文献】
【０００５】
【特許文献１】特開２０００−２４５７１７公報
【特許文献２】再表ＷＯ２００９／１０４７６５公報
【発明の概要】
【発明が解決しようとする課題】
【０００６】
ところで、上述したような針穿刺痛低減器具では、患者（使用者）にスイッチを押させることにより圧電素子が振動するようになされているので、スイッチを押すことなく穿刺具の操作ボタンを押圧した場合には圧電素子が振動する前に穿刺針が皮膚を穿刺することになり、この場合は穿刺痛を低減することができない。
【０００７】
本発明は以上の点を考慮してなされたもので、従来と比してより確実に生体体表の血液採取部位を穿刺する前に振動させ得る穿刺痛低減装置及び穿刺痛低減穿刺具を提案しようとするものである。
【課題を解決するための手段】
【０００８】
かかる課題を解決するため本発明は、穿刺痛低減穿刺具であって、先端から穿刺針が突出することにより生体体表の血液採取部位を穿刺する穿刺具と、穿刺具により血液採取部位を穿刺したときの痛みを低減する穿刺痛低減装置とを有し、穿刺痛低減装置は、血液採取部位に当接される先端面を有する本体部と、本体部における先端面とは反対側の面に対して所定距離だけ離間して配され、穿刺具を血液採取部位から離間して保持し、穿刺具と共に血液採取部位に向けて移動されることにより穿刺具の先端を血液採取部位に当接させる穿刺具保持部と、穿刺具保持部が移動していない状態でオフであり、穿刺具保持部が血液採取部位に押し付けられて穿刺具保持部が本体部側に所定距離だけ移動されることによりオンになるスイッチ部と、スイッチ部に接続され、該スイッチ部がオンになることにより印加される電圧により振動し、血液採取部位を振動させる振動体とを有する。
【０００９】
また本発明は、穿刺痛低減装置であって、生体体表の血液採取部位に当接される先端面を有する本体部と、本体部における先端面とは反対側の面に対して所定距離だけ離間して配され、先端から穿刺針が突出することにより血液採取部位を穿刺する穿刺具を血液採取部位から離間して保持し、穿刺具と共に血液採取部位に向けて移動されることにより穿刺具の先端を血液採取部位に当接させる穿刺具保持部と、穿刺具保持部が移動していない状態でオフであり、穿刺具保持部が血液採取部位に押し付けられて穿刺具保持部が本体部側に所定距離だけ移動されることによりオンになるスイッチ部と、スイッチ部に接続され、該スイッチ部がオンになることにより印加される電圧により振動し、血液採取部位を振動させる振動体とを有する。
【００１０】
これにより、穿刺具が血液採取部位方向に押し付けられていない状態では穿刺具により血液採取部位を穿刺できず、穿刺具保持部とともに穿刺具が血液採取部位に押し付けられるとスイッチ部がオンになり血液採取部位を振動させた後に穿刺具は穿刺することができる。
【発明の効果】
【００１１】
本発明によれば、穿刺具が血液採取部位方向に押し付けられていない状態では穿刺具により血液採取部位を穿刺できず、穿刺具保持部とともに穿刺具が血液採取部位に押し付けられるとスイッチ部がオンになり血液採取部位を振動させた後に穿刺具は穿刺することができ、かくして従来と比してより確実に生体体表の血液採取部位を穿刺する前に振動させることができる。
【図面の簡単な説明】
【００１２】
【図１】第１の実施の形態における穿刺痛低減穿刺具の構成を示す略線図である。
【図２】第１の実施の形態における穿刺具の構成を示す略線図である。
【図３】第１の実施の形態における穿刺痛低減装置の構成を示す略線図である。
【図４】穿刺痛低減穿刺具の使用手順を示すフローチャートである。
【図５】穿刺痛低減穿刺具の使用手順を示す略線図である。
【図６】第２の実施の形態における穿刺痛低減穿刺具の構成を示す略線図である。
【図７】第２の実施の形態における穿刺具の構成を示す略線図である。
【発明を実施するための形態】
【００１３】
以下に、図面について、本発明の一実施の形態を詳述する。
【００１４】
＜１．第１の実施の形態＞
〔１−１．穿刺痛低減穿刺具の構成〕
まず、第１の実施の形態について説明する。図１に示すように、穿刺痛低減穿刺具１は、穿刺具２及び穿刺痛低減装置３により構成される。穿刺痛低減穿刺具１は、穿刺痛低減装置３に穿刺具２が装着されて使用される。ここで、図４を除く各図において、左側を先端、右側を基端、先端及び基端を結ぶ水平方向を軸方向として説明する。
【００１５】
〔１−２．穿刺具の構成〕
穿刺具２は、先端から穿刺針をバネ等により突出させることにより使用者の体表の血液採取部位を穿刺するものであり、本実施の形態においては本願発明の出願人により以前に出願された穿刺具を用いるものであり、必要な部分については説明するが、詳しくは特開２０００−２４５７１７号公報を参照されたい。
【００１６】
穿刺具２は、図２に示すように、穿刺具本体１０の先端に穿刺針カートリッジ２０が着脱自在に装着される。穿刺具本体１０は、ハウジング１１、プランジャ１２、コイルバネ１３、コイルバネ１４、調節部１５、セット操作部１６等を含む構成される。
【００１７】
穿刺具本体１０は、先端が開口し中空に形成された長尺状のハウジング１１の内部にプランジャ１２、コイルバネ１３及びコイルバネ１４が設けられ、またハウジング１１の基端側に調節部１５及びセット操作部１６が設けられる。
【００１８】
ハウジング１１は、略円筒形状に形成されたハウジング本体１１Ａの外周中央に弾性変形可能な板状の穿刺操作部１１Ｂが設けられ、該穿刺操作部１１Ｂの先端に内側に突出した突起１１Ｃが設けられる。またハウジング１１は、突起１１Ｃと対向する位置に該突起１１Ｃより大きな係止孔１１Ｄが設けられ、穿刺操作部１１Ｂが押圧操作されると突起１１Ｃが係止孔１１Ｄ内に入り込む。さらにハウジング１１は、末端にキャップ状部材１１Ｅが設けられる。
【００１９】
プランジャ１２は、ハウジング本体１１Ａ内を軸方向に移動（変位）し得るように構成される。プランジャ１２は、穿刺針カートリッジ２０のランセット２２が着脱自在に装着される円筒状の装着部１２Ａが先端に形成される。またプランジャ１２は、基端側に向けて立設された突出部１２Ｂが基端に形成される。突出部１２Ｂの基端は外側に向けて突出するように形成される。
【００２０】
さらにプランジャ１２は、軸方向に対して中央付近にフランジ１２Ｃが形成され、該フランジ１２Ｃより先端側に弾性変形可能な棒状のロック部材１２Ｄが形成され、フランジ１２Ｃをはさんでロック部材１２Ｄとは反対側に外周方向に立設された突起１２Ｅが設けられる。ロック部材１２Ｄの先端には、ハウジング１１の係止孔１１Ｄ側よりも小さく、外周側に突出した突起１２Ｅが形成される。
【００２１】
調節部１５は、ハウジング１１の基端側に回動自在に設けられ、ハウジング１１内に基端方向に異なる長さの制御板１５Ａが周方向に並ぶようにして設けられる。調節部１５は、回動操作されることにより、長さが異なる制御板１５Ａのいずれかがプランジャ１２の突起１２Ｅと対向するので、穿刺時に制御板１５Ａにプランジャ１２の突起１２Ｅが当接することにより穿刺針２３の穿刺深さを調整する。
【００２２】
セット操作部１６は、コイルバネ１４を収納する円筒状の本体部１６Ａと、該本体部１６Ａの先端にリング状に形成されコイルバネ１４の先端が当接するリブ１６Ｂと、本体部１６Ａの基端に設けられる指当て部１６Ｃとにより構成される。
【００２３】
セット操作部１６は、軸方向に沿って指当て部１６Ｃがキャップ状部材１１Ｅと当接する位置まで移動することができる。
【００２４】
穿刺針カートリッジ２０は、管状の穿刺針ホルダー２１と、該穿刺針ホルダー２１内に軸方向に移動可能に収納され、先端に穿刺針２３を有するランセット２２とにより構成される。
【００２５】
穿刺針ホルダー２１の先端は、血液採取部位に当接する開口２１Ａが形成される。また穿刺針ホルダー２１は、中央部分から基端にかけてランセット２２の大径部２２Ａに合わせて径が大きく形成される。
【００２６】
ランセット２２は、大径部２２Ａを挟んで穿刺針２３とは反対側にプランジャ１２の装着部１２Ａ内に嵌合するように形成されたハブ２２Ｂが設けられる。
【００２７】
穿刺針カートリッジ２０は、穿刺具本体１０に装着される際、ハウジング１１の先端に穿刺針ホルダー２１が末端側から嵌入され、プランジャ１２の装着部１２Ａにランセット２２のハブ２２Ｂが嵌入される。
【００２８】
これにより穿刺針カートリッジ２０は、穿刺針ホルダー２１がハウジング１１と嵌合して該ハウジング１１に固定されるとともに、プランジャ１２の先端にランセット２２が嵌合されてプランジャ１２とともにランセット２２が移動することができる。
【００２９】
〔１−３．穿刺痛低減装置の構成〕
穿刺痛低減装置３は、図３に示すように、当接部３１及び収納部３２からなる本体部３０、穿刺具保持部３３，バネ３４、電池３５、モータ３６、電極４１、４２及び４３からなるスイッチ部３７、配線５１及び５２を含む構成とされる。
【００３０】
当接部３１は、先端にむけて径が小さくなる略円錐台形状に形成され、その中央に軸方向に沿って穿刺具２の穿刺針カートリッジ２０が挿通できる程度の径を有する貫通孔３１Ａが設けられる。また当接部３１は、使用時に使用者の血液採取部位に当接する先端面３１Ｂを有する。
【００３１】
収納部３２は、当接部３１の基端に接続され、当接部３１より外周側に電池３５及びモータ３６がそれぞれ格納される空間３２Ａ及び３２Ｂが設けられる。空間３２Ａ及び３２Ｂには、それぞれ電池３５及びモータ３６が収納される。
【００３２】
収納部３２は、当接部３１の貫通孔３１Ａと繋がるように中央に軸方向に沿って貫通孔３２Ｃが設けられる。貫通孔３２Ｃは、先端側の径は貫通孔３１Ａと同じ径で、穿刺具２が挿入される際にハウジング１１が接しないように末端側に向かって径が徐々に大きくなるように形成される。また収納部３２は、貫通孔３２Ｃの内周面に沿って半周ほど配されて両端が基端面３２Ｄから基端方向に突出した電極４１が設けられる。
【００３３】
穿刺具保持部３３は、収納部３２の基端面３２Ｄにバネ３４を介して対向するように接続され、バネ３４が自然長の状態で収納部３２の基端面３２Ｄに所定間隔離間して配される。
【００３４】
穿刺具保持部３３は、収納部３２の貫通孔３２Ｃと対向する位置に、ハウジング１１のハウジング本体１１Ａが嵌入される嵌入孔３３Ａが設けられる。また穿刺具保持部３３は、嵌入孔３３Ａの外周側であって電極４１の両端とそれぞれ対向する位置に、該電極４１の両端から所定の距離だけ離間して電極４２及び４３が設けられる。
【００３５】
穿刺具保持部３３は、先端方向に押し付けられるとバネ３４が収縮しながら移動して収納部３２の基端面３２Ｄに接近し、電極４１の両端と電極４２及び４３がそれぞれ接する。
【００３６】
電池３５は、モータ３６を駆動する電力を供給する電源であり、配線５１を介して電極４２と接続される。
【００３７】
モータ３６は、モータ軸に偏心した錘が取り付けられた所謂振動モータでなり、配線５２を介して電極４３と接続される。モータ３６は、電流が流れるとモータ軸とともに錘が回転して振動を発生させる。モータ３６は、振動すると穿刺痛低減装置３全体が振動する程度の振動を発生するものが適応される。
【００３８】
従って穿刺痛低減装置３は、穿刺具保持部３３が先端方向に移動され電極４１の両端と電極４２及び４３がそれぞれ接してスイッチ部３７がオンになると、電池３５とモータ３６とが電気的に接続されて電池３５からモータ３６へ電圧が印加されてモータ３６が回転して装置全体を振動させる。
【００３９】
ところで本体部３０の軸方向の長さは、穿刺痛低減装置３に穿刺具２が装着された際に穿刺針ホルダー２１の開口２１Ａと当接部３１の先端面３１Ｂとの軸方向の距離が、バネ３４が自然長であるときの電極４１の両端と電極４２及び４３とが離間している距離（穿刺具保持部３３が先端方向に移動する距離）と等しくなるように設定される。
【００４０】
また、本体部３０の軸方向の長さは、穿刺針ホルダー２１の開口２１Ａと当接部３１の先端面３１Ｂとの軸方向の距離が、穿刺針２３が開口２１Ａから突出する穿刺深さよりも長くなるように設定される。
【００４１】
〔１−４．穿刺痛低減穿刺具の使用（動作）〕
次に穿刺痛低減穿刺具１の使用について図４に示すフローチャートを用いて説明する。穿刺痛低減穿刺具１は、使用される際、まず穿刺具２において穿刺具本体１０の先端に穿刺針カートリッジ２０が装着される（ステップＳＰ１）。
【００４２】
その後、穿刺具２は、セット操作部１６の指当て部１６Ｃに使用者の指が当てられ、セット操作部１６が基端方向に移動される。このとき穿刺具２は、セット操作部１６が基端方向に移動されるに連れて、まずはコイルバネ１４が圧縮され、その後にプランジャ１２及びランセット２２が基端方向に移動されてコイルバネ１３が圧縮される。
【００４３】
プランジャ１２は、基端方向に移動されると、突起１２Ｅがハウジング１１の係止孔１１Ｄに入り込むことによりハウジング１１に係止される。
【００４４】
そして、穿刺具２は、使用者の指がセット操作部１６から離されると、セット操作部１６がコイルバネ１４の弾性力により元の位置に戻るが、プランジャ１２はハウジング１１に係止された状態で保持され、コイルバネ１３も圧縮した状態で保持される。これにより穿刺具２は、穿刺針２３を血液採取部位に穿刺可能な状態となる（ステップＳＰ２）。
【００４５】
続いて、穿刺痛低減穿刺具１では、穿刺可能な状態となった穿刺具２が穿刺痛低減装置３の嵌入孔３３Ａ、貫通孔３２Ｃ及び３１Ａに基端側から挿入されて装着される。このとき、穿刺具２は、ハウジング１１が穿刺具保持部３３の嵌入孔３３Ａに嵌入されることにより保持され、穿刺針ホルダー２１の開口２１Ａが当接部３１の先端面３１Ｂよりも基端側で固定される（ステップＳＰ３）。
【００４６】
穿刺痛低減穿刺具１は、図５（Ａ）に示すように、穿刺痛低減装置３に穿刺具２が装着された状態で、当接部３１の先端面３１Ｂが例えば指ＦＧの血液採取部位に当接される（ステップＳＰ４）。
【００４７】
穿刺痛低減穿刺具１は、図５（Ｂ）に示すように、穿刺具２が押し込まれて穿刺具保持部３３とともに先端方向に移動されると、電極４１の両端と電極４２及び４３が接してモータ３６に電圧が印加される（ステップＳＰ５でＹＥＳ）。これにより穿刺痛低減装置３は、装置全体が振動して先端面３１Ｂに当接している血液採取部位を振動させる（ステップＳＰ６）。また、この状態で穿刺痛低減穿刺具１は、穿刺具２の先端である開口２１Ａが血液採取部位に当接する。
【００４８】
その後、穿刺痛低減穿刺具１は、図５（Ｃ）に示すように、穿刺操作部１１Ｂが押圧されると、プランジャ１２の突起１２Ｅがハウジング１１の突起１１Ｃに入り込み、プランジャ１２の突起１２Ｅがハウジング１１の係止孔１１Ｄから外れてプランジャ１２の係止が解除される。
【００４９】
穿刺具２は、プランジャ１２の係止が解除されると、圧縮されていたコイルバネ１３が弾性力により伸長してプランジャ１２及びランセット２２を先端方向に移動させ、穿刺針２３が開口２１Ａから突出して血液採取部位を穿刺する（ステップＳＰ７）。
【００５０】
なお、穿刺具２は、プランジャ１２が先端方向に移動されるに連れてコイルバネ１４が圧縮され、穿刺針２３が穿刺深さ分だけ開口２１Ａから突出した後、コイルバネ１４が弾性力により伸長してプランジャ１２及びランセット２２を基端方向に移動させる。これにより穿刺針２３が開口２１Ａよりも基端側に位置するように戻される。
【００５１】
穿刺が終了すると、穿刺具本体１０から穿刺痛低減装置３及び穿刺針カートリッジ２０が取り外される（ステップＳＰ８）。
【００５２】
一方、穿刺痛低減穿刺具１は、当接部３１の先端面３１Ｂが血液採取部に当接された状態で（ステップＳＰ４）、穿刺具２及び穿刺具保持部３３が先端方向に押し込まれないと、電極４１の両端と電極４２及び４３が接することなくスイッチ部３７がオフしているので、モータ３６に電圧が印加されずに穿刺痛低減装置３が振動いない（ステップＳＰ５でＮＯ、ＳＰ９）。
【００５３】
ところで、本体部３０の長さは、穿刺針ホルダー２１の開口２１Ａと当接部３１の先端面３１Ｂとの軸方向の距離が、穿刺針２３が開口２１Ａから突出する穿刺深さよりも長くなるように設定されている。
【００５４】
よって穿刺具２及び穿刺具保持部３３が押し込まれずに穿刺痛低減装置３が振動いない状態で、穿刺操作部１１Ｂが押圧され穿刺具２の穿刺針２３が開口２１Ａから突出した場合であっても、血液採取部位には穿刺針２３が届かない（ステップＳＰ１０）。これにより穿刺痛低減穿刺具１は、穿刺痛低減装置３が振動していない状態での穿刺を防止することができる。
【００５５】
〔１−５．効果等〕
このように穿刺痛低減穿刺具１は、穿刺具２を保持する穿刺具保持部３３が本体部３０の基端面３２Ｄから穿刺具２の穿刺深さより離間してバネ３４を介して本体部３０に接続される。また穿刺痛低減穿刺具１は、本体部３０に設けられる電極４１の両端と穿刺具保持部３３に設けられる電極４２及び４３とが穿刺具２の穿刺深さより離間して配される。
【００５６】
これにより穿刺痛低減穿刺具１は、穿刺具２が先端方向に押し込まれて電極４１の両端と電極４２及び４３が接してスイッチ部３７がオンになるとモータ３６に電圧が印加されて振動が発生すると共に開口２１Ａが血液採取部位に当接するので、血液採取部位を振動させてから穿刺することができる。
【００５７】
ここで血液採取部位を振動させながら穿刺針を穿刺することにより、穿刺痛が低減されることが実証されている。よって穿刺痛低減穿刺具１は、穿刺針２３の穿刺による穿刺痛を低減させることができる。
【００５８】
一方、穿刺痛低減穿刺具１は、穿刺具２が先端方向に押し込まれないと電極４１の両端と電極４２及び４３が離間したままでスイッチ部３７がオンにならずにモータ３６に電圧が印加されず振動を発生させることができない。しかしながら、穿刺痛低減穿刺具１では、この状態では穿刺針２３が開口２１Ａから突出しても血液取得部位を穿刺することはないので、振動を発生させずに穿刺することはない。
【００５９】
かくして穿刺痛低減穿刺具１は、生体の体表の血液採取部位を穿刺する前に確実に振動させることができる。
【００６０】
＜２．第２の実施の形態＞
〔２−１．穿刺痛低減穿刺具の構成〕
次に、第２の実施の形態について説明する。図６に示すように、第２の実施の形態における穿刺痛低減穿刺具１００は、穿刺具２及び穿刺痛低減装置１０３により構成される。穿刺具２は、第１の実施の形態における穿刺具と同様であるため説明は省略する。
【００６１】
〔２−２．穿刺痛低減装置の構成〕
穿刺痛低減装置１０３は、図７に示すように、当接部３１及び収納部３２からなる本体部３０、穿刺具保持部３３、バネ３４、電池３５、電極４１、４２及び４３からなるスイッチ部３７、配線５１、５２、５３、圧電素子１１０及び駆動回路１１１を含む構成とされる。すなわち穿刺痛低減装置１０３は、第１の実施の形態における穿刺痛低減装置３におけるモータ３６に代えて、圧電素子１１０、駆動回路１１１及び配線５３が設けられ、その他の各部については穿刺痛低減装置３と同様である。
【００６２】
圧電素子１１０は、当接部３１の先端面３１Ｂに設けられ、電圧が印加されることにより振動する。圧電素子１１０は、配線５３を介して収納部３２の空間３２Ｂ内に設けられる駆動回路１１１に接続される。
【００６３】
駆動回路１１１は、配線５２を介して電極４２と接続され、電極４１の両端と電極４２及び４３とが接してスイッチ部３７がオンになった際に電池３５から供給される電圧を圧電素子１１０が作動できる電圧に昇圧して圧電素子１１０に供給する。
【００６４】
〔２−３．穿刺痛低減穿刺具の使用（動作）〕
穿刺痛低減穿刺具１００は、穿刺痛低減穿刺具１と同様に穿刺具本体１０の先端に穿刺針カートリッジ２０が装着されて穿刺具２が穿刺針２３を使用者の生体表面の血液採取部位に穿刺可能な状態にされる。
【００６５】
そして穿刺痛低減穿刺具１００は、穿刺具２が穿刺痛低減装置１０３に装着された後、先端面３１Ｂ及び圧電素子１１０が血液採取部位に当接される。穿刺痛低減穿刺具１００は、穿刺具２が押し込まれて穿刺具保持部３３とともに先端方向に移動されると、電極４１の両端と電極４２及び４３が接してスイッチ部３７がオンになり、駆動回路１１１から圧電素子１１０に電圧が印加されて振動する。これにより圧電素子１１０に当接している血液採取部位を振動させる。
【００６６】
また、この状態で穿刺痛低減穿刺具１００は、穿刺具２の先端である開口２１Ａが血液採取部に当接する。その後、穿刺痛低減穿刺具１００は、穿刺操作部１１Ｂが押圧されると、プランジャ１２の係止が解除されて穿刺針２３が開口２１Ａから突出して血液採取部を穿刺する。これにより穿刺痛低減穿刺具１００は、血液採取部位を振動させた状態で穿刺針２３により血液採取部位を穿刺するので、穿刺による穿刺痛を低減することができる。
【００６７】
一方、穿刺痛低減穿刺具１００は、当接部３１の先端面３１Ｂが血液採取部位に当接された状態で、穿刺具２及び穿刺具保持部３３が先端方向に押し込まれないと、駆動回路１１１から圧電素子１１０に電圧が印加されずに振動しない。
【００６８】
このとき穿刺操作部１１Ｂが押圧され穿刺具２の穿刺針２３が開口２１Ａから突出しても、穿刺針ホルダー２１の開口２１Ａと当接部３１の先端面３１Ｂとの軸方向の距離が、穿刺針２３が開口２１Ａから突出する穿刺深さよりも長くなるように本体部３０の長さが設定されているので、血液採取部位には穿刺針２３が届かない。これにより穿刺痛低減穿刺具１００は、血液採取部位を振動させていない状態での穿刺を防止することができる。
【００６９】
かくして穿刺痛低減穿刺具１００は、生体の体表の血液採取部位を穿刺する前に確実に振動させることができる。
【００７０】
〔３．他の実施の形態〕
〔３−１．他の実施の形態１〕
上述した実施の形態においては、スイッチ部３７として離間した電極４１、４２及び４３を用い、電極４１の両端と電極４２及び４３が接することでモータ３６及び圧電素子１１０が振動するようにした場合について述べた。
【００７１】
本発明はこれに限らず、例えば、スイッチ部としてのボタンスイッチが、穿刺具保持部３３とは穿刺具２の穿刺深さより離間した基端面３２Ｄ上に設けられ、穿刺具２が先端方向に押し込まれて穿刺具保持部３３が移動されることによりボタンスイッチを押すようにしてもよい。
【００７２】
〔３−２．他の実施の形態２〕
上述した実施の形態においては、当接部３１を略円錐台形状にした場合について述べたが、本発明はこれにかぎらず、例えば断面がＣ字型に形成された形状に形成されていてもよく、その他の形状でもよい。
【００７３】
〔３−３．他の実施の形態３〕
上述した実施の形態は、当接部３１と収納部３２とが別々に形成されている場合について述べたが、本発明はこれにかぎらず、当接部と収納部がいったい形成されていてもよい。
【００７４】
〔３−４．他の実施の形態４〕
上述した実施の形態は、モータ３６及び圧電素子１１０により血液採取部位を振動させるようにした場合について述べたが、本発明はこれに限らず、その他種々の振動を発生させる装置を適応してもよい。
【産業上の利用可能性】
【００７５】
本発明は、例えば医療分野に適用することができる。
【符号の説明】
【００７６】
１……穿刺痛低減穿刺具、２……穿刺具、３……穿刺痛低減装置、１０……穿刺具本体、１１……ハウジング、１２……プランジャ、１３、１４……コイルバネ、１５……調節部、１６……セット操作部、２０……穿刺針カートリッジ、２１……穿刺針ホルダー、２２……ランセット、２３……穿刺針、３０……本体部、３１……当接部、３２……収納部、３３……穿刺具保持部、３４……バネ、３５……電池、３６……モータ、３７……スイッチ部、４１、４２、４３……電極、５１、５２……配線。
【図１】
2014064779.tif 000003
【図２】
2014064779.tif 000004
【図３】
2014064779.tif 000005
【図４】
2014064779.tif 000006
【図５】
2014064779.tif 000007
【図６】
2014064779.tif 000008
【図７】
2014064779.tif 000009